(57)【特許請求の範囲】
【請求項１】
現金支出機に取付けることにより現金支出機の支出スロットへのアクセスを制御する自己完結型の送出アクセス装置であって、
現金支出機に搭載可能な収納体と、
該収納体内にあって、現金支出機の支出スロットと整合するスロット部と、
該収納体内に搭載されており、第１軸周囲を独立して回動する略Ｕ形の第１障害部材と、
該収納体内に搭載されており、第２軸周囲を独立して回動する略Ｕ形の第２障害部材を備えており、第１障害部材と２障害部材は、前記支出スロットへのアクセスの一部の妨害を提供する第１位置と、妨害を提供しない第２位置との間で可動であり、
さらに、該収容体内に収容されて第１障害部材を移動させる第１駆動手段と、該収容体内に収容されて前記第２障害部材を移動させる第２駆動手段と、
前記駆動手段を前記現金支出機の電気回路に接続するための電気接続手段を備えていることを特徴とする送出アクセス装置。
【請求項２】
前記第１障害部材は前記支出スロットの一端部に設置され、前記第２障害部材は他端部に設置されていることを特徴とする請求項１記載の送出アクセス装置。
【請求項３】
電気回路で駆動されている現金支出機の現金支出スロットへのアクセスを制御する送出アクセス装置であって、
一端部が第１軸を中心として回動するように装着されて他端部が自由端となっている長い第１障害部材を備えており、第１障害部材の自由端が、前記支出スロットの一端部へのアクセスの妨害を提供する突出位置と、一端部へのアクセスの妨害を提供しない収容位置との間で可動であり、
第１障害部材とは別体で独立しており、一端部が前記第１軸とは共軸でない第２軸を中心として回動するように装着されて他端部が自由端となっている長い第２障害部材を備えており、第２障害部材の自由端が、前記支出スロットの他端部へのアクセスの妨害を提供する突出位置と、他端部へのアクセスの妨害を提供しない収容位置との間で可動であり、
前記第１障害部材に接続されている第１駆動手段と前記第２障害部材に接続されている第２駆動手段とを備えており、第１駆動手段は、前記第１障害部材を前記収納位置と前記突出位置との間で第２障害部材とは独立的に移動させ、第２駆動手段は、前記第２障害部材を前記収納位置と前記突出位置との間で第１障害部材とは独立的に移動させるものであり、
第１障害部材と、第２障害部材と、第１駆動手段と、第２駆動手段を収容する現金支出機に搭載可能な収納体を備えており、
駆動手段を現金支出機の電気回路に接続するための電気接続手段を備えており、駆動手段は該電気回路からの電気信号に対応して第１障害部材と第２障害部材とをそれぞれ移動させることを特徴とする送出アクセス装置。
【請求項４】
前記送出アクセス装置は前記現金支出機に取付可能な搭載プレートを備えており、該搭載プレートは前記現金支出スロットと整合する長いスロット部を有しており、前記第１障害部材と前記第２障害部材は前記搭載プレートに搭載可能であることを特徴とする請求項３記載の送出アクセス装置。
【請求項５】
前記送出アクセス装置は前記搭載プレートに搭載されたケースを備えており、該ケースは前記長いスロット部と整合する開口部を有しており、前記第１障害部材と前記第２障害部材は前記ケースと前記搭載プレートとの間に配置され、前記第１障害部材と前記第２障害部材はそれぞれの収納位置において前記開口部に収納され、それぞれの突出位置において該開口部へのアクセスを妨害することを特徴とする請求項４記載の送出アクセス装置。
【請求項６】
前記ケースには発光ダイオードが設けられており、該発光ダイオードは前記電気接続手段に接続されており、前記両障害部材の位置を表示することを特徴とする請求項５記載の送出アクセス装置。
【請求項７】
前記駆動手段は第１駆動器と第２駆動器とを含み、該第１駆動器は前記第１障害部材を前記収納位置と前記突出位置との間で移動させるものであり、前記第２駆動器は前記第２障害部材を前記収納位置と前記突出位置との間で移動させるものであることを特徴とする請求項３記載の送出アクセス装置。
【請求項８】
前記第１障害部材は第１軸周囲を回動し、前記第２障害部材は第２軸周囲を回動し、該第１軸と該第２軸とは離れていることを特徴とする請求項３記載の送出アクセス装置。
【請求項９】
現金支出機の現金支出スロットへのアクセスを制御する送出アクセス装置であって、該現金支出機は電気回路によって制御されており、現金支出スロットは第１長手方向端部と第２長手方向端部とを有しており、前記送出アクセス装置は、
一端部に設けられた第１軸により、前記現金支出スロットの第１長手方向端部において回動可能となるように設けられた長い略Ｕ字型の第１障害部材を備えており、当該第１障害部材が、前記支出スロットへのアクセスの一部の妨害を提供する突出位置と、妨害を提供しない収容位置との間で可動であり、
該第１障害部材とは分離しており、他端部に設けられた第２軸により、前記現金支出スロットの第２長手方向端部において回動可能となるように設けられた長い略Ｕ字型の第２障害部材を備えており、当該第２障害部材が、前記支出スロットへのアクセスの一部の妨害を提供する突出位置と、妨害を提供しない収容位置との間で可動であり、
前記第１障害部材に接続されて、該第１障害部材を第１軸の周囲を回転させて前記収納位置と前記突出位置との間で移動させる第１駆動器と、
前記第２障害部材に接続されて、該第２障害部材を第２軸の周囲を回転させて前記収納位置と前記突出位置との間で移動させる第２駆動器と、
前記第１駆動器と前記第２駆動器とを前記現金支出機の電気回路に接続するための電気接続手段とを備えており、
前記電気回路からの電気信号に対応して、前記第１駆動器は前記第１障害部材を移動し、前記第２駆動器は前記第２障害部材を移動することを特徴とする送出アクセス装置。
【請求項１０】
前記送出アクセス装置は前記現金支出機に取付可能な搭載プレートを備えており、該搭載プレートは前記現金支出スロットに整合するスロット部を有していることを特徴とする請求項９記載の送出アクセス装置。
【請求項１１】
前記搭載プレートにはケースが装着されており、該ケースは前記現金支出機スロットと寸法が整合する開口部を有しており、前記両障害部材は前記ケースと前記搭載プレートとの間に配置され、該両障害部材はそれぞれの収納位置にあるとき該ケースの前記開口部内に収納され、それぞれの突出位置にあるとき該開口部から突出していることを特徴とする請求項１０記載の送出アクセス装置。
【請求項１２】
前記ケースには前記電気接続手段に接続された発光ダイオードが設けられており、前記それぞれの操作位置を表示することを特徴とする請求項１１記載の送出アクセス装置。
【請求項１３】
現金支出機の現金支出スロットへのアクセスを制御する送出アクセス装置であって、
該現金支出機に取付可能な搭載プレートを備えており、該搭載プレートは長いスロット部を有しており、該長いスロット部は第１長手方向端部と第２長手方向端部とを有しており、
さらに、前記搭載プレートに設けられているケースを備えており、該ケースは内部に隙間が設けられて収容体を形成しており、前記長いスロット部と整合する開口部を有しており、
さらに、前記搭載プレートと前記ケースとの間の隙間に配置された略Ｕ字形の第１障害部材を備えており、該第１障害部材は前記長いスロット部の前記第１長手方向端部に取付られており、前記ケースの前記開口部内に収納されている収納位置と、該開口部から突出して前記長いスロット部へのアクセスを妨害する突出位置との間で可動であり、
さらに、前記搭載プレートと前記ケースとの間の隙間に配置された略Ｕ字形の第２障害部材を備えており、該第２障害部材は前記長いスロット部の前記第２長手方向端部に取付られており、前記ケースの前記開口部内に収納されている収納位置と、該開口部から突出して前記長いスロット部へのアクセスを妨害する突出位置との間で可動であり、
さらに、前記隙間に配置されて前記第１障害部材に接続され、第１軸を中心にして該第１障害部材を回転させることで、該第１障害部材を前記収納位置と前記突出位置との間で移動させる第１駆動器と、
さらに、前記隙間に配置されて前記第２障害部材に接続され、第２軸を中心にして該第２障害部材を回転させることで、該第２障害部材を前記収納位置と前記突出位置との間で移動させる第２駆動器を備えており、
前記第１障害部材と前記第２障害部材が収納されている第１操作位置と、前記第１障害部材が収納され、前記第２障害部材が突出している第２操作位置と、前記第１障害部材が突出しており、前記第２障害部材が収納されている第３操作位置と、前記第１障害部材と前記第２障害部材が突出している第４操作位置と、を有しており、
さらに、前記第１駆動器と前記第２駆動器を前記現金支出機の電気回路に接続するために収容体から現金支払機に延びる電気接続手段を備えており、
前記送出アクセス装置は前記電気回路からの電気信号に対応して前記第１操作位置、前記第２操作位置、前記第３操作位置、前記第４操作位置のいずれかの位置に可動であることを特徴とする送出アクセス装置。
【請求項１４】
前記ケースには前記電気接続手段に接続された発光ダイオードが設けられており、前記第１操作位置、前記第２操作位置、前記第３操作位置、前記第４操作位置のいずれかを表示することを特徴とする請求項１３記載の送出アクセス装置。
【発明の詳細な説明】
【０００１】
【産業上の利用分野】
本発明は、一般的に現金支出機に関し、特に、現金支出機の現金支出スロットに対する人のアクセスを制御する送出アクセス装置（現金支出機用アクセス制御装置）に関するものである。
【０００２】
【従来の技術】
現金支出機は、銀行やその他の現金を取り扱う諸機関での現金を保管する「引出し」の代用であり、人的ミスや盗難の危険性を減少させるために利用されている。このような現金支出機は、一般的にはコンピュータによって出納係が指令を入力すると、現金支出機内の安全な場所に収納されている現金保管容器から現金を支出する。即ち、現金を受け取るには、各取引の記録を管理する現金支出機のメモリ内に出納係によって指令が入力されなければならない。
【０００３】
一般的に、１台の現金支出機は２人の出納係によって利用される。この場合、現金支出機は一般的に左右の２人の出納係に挟まれて配置される。現金は、現金支出機のスロットを介して出納係に払い出される。このスロットは一般的に２人の出納係の中間に位置している。各出納係は別々の取引に携わっており、手を差し出すことで自分が扱う取引用の現金を受け取らなければならない。混乱を避けるため、払い出した現金が左右どちらの出納係のものかを表示する機械も存在する。そのような表示装置の１つは、現金支出機の操作回路によって制御される表示灯である。このような表示灯は一般的に各出納係に隣接して現金払出機上に設置されており、視覚的信号を発する。表示灯の欠点は、出納係が表示灯に慣れ切って鈍感になることである。出納係には「正確性」「集中力」「スピード」が要求されるが、その表示灯を見るためには出納係は処理の都度顔を上げなければならない。従って出納係は取引情報の処理後に単に手を延ばして機械的に現金を受け取るようになり、表示灯を無視しがちとなる。
【０００４】
現金支出機には物理的障害手段が採用されているものも存在する。この障害手段はどちら側の出納係に対する現金の払い出しであるかを物理的に示すものである。このような障害手段は一般的に長い単一の部材であり、現金支出機の支出スロット内に回動可能に搭載されている。この長い障害部材はスロット内にピン手段によって回動可能に搭載されており、支出スロットの一端部にて回動することで外側に延び出して関係しない出納係に対して物理的障害となるように設計されている。即ち、この障害手段は指令を出していない出納係に対して物理的障害を提供するものである。例えば、現金が現金支出機の右側に位置する出納係に対するものである場合に、障害部材は支出スロットの左端部にて外側に延び出るように回動し、左側の出納係に対して物理的障害となる。一般的に、そのような障害部材は現金支出機と一体的に設けられており、現金支出機の電気回路によって制御されている。
【０００５】
【発明が解決しようとする課題】
上記従来の物理的障害手段は、現金支出機を利用する出納係に対し、表示手段としては表示灯よりもさらに効果的ではあるが、欠点も有する。障害部材は中央軸を回動する構造であり、支出スロットの一端部にて物理的障害を提供するだけである。換言すれば、このような障害構造は基本的には２人の出納係への適用に制限される。さらに、上記障害構造は現金支出機の製造工程において装着され、初めから現金支出機の一部となっており、他の現金支出機には適用できない。
【０００６】
本発明はこれら及び他の問題を解決し、現存する現金支出機にも装着可能な送出アクセス装置を提供するものである。この送出アクセス装置は別個独立的に操作可能な物理的障害手段を備えている。本発明の目的の１つは、現金支出機から支出される現金へのアクセスを制御する送出アクセス装置を提供することである。本発明の別の目的は、既に現存する現金支出機にも使用できる送出アクセス装置を提供することである。本発明の別の目的は、分離独立式に操作可能な障害部材を有する送出アクセス装置を提供することである。
【０００７】
本発明の別の目的は、分離独立式に操作可能な駆動手段が各障害部材に対して設けられる送出アクセス装置を提供することである。本発明の別の目的は、完全自己完結式ユニットである送出アクセス装置を提供することである。本発明の別の目的は、駆動手段と障害部材とを収納する収納体を含む送出アクセス装置を提供することである。本発明の別の目的は、現金支出機の内部回路に接続するための電気手段を有する送出アクセス装置を提供することである。
【０００８】
【課題を解決するための手段】
上記課題を解決するため、本発明によれば、現金支出機の支出スロットへのアクセスを制御する送出アクセス装置が設けられる。この送出アクセス装置は長い開口部を有した収納体を備えており、この長い開口部は現金支出機の現金支出スロットと整合する。長い開口部の各端部には独立分離式の障害部材が設けられている。各障害部材は完全収納状態の第１位置と、完全突出状態の第２位置との間で独立分離式に可動である。この第２位置において、障害部材は長い開口部のそれぞれの端部にて物理的障害を提供する。
【０００９】
本発明の別実施例によれば、現金支出機の支出スロットへのアクセスを制御する送出アクセス装置が設けられ、この送出アクセス装置は２つの分離独立した障害部材を有している。各障害部材を収納位置から突出位置までそれぞれ独立的に移動させる駆動手段が設けられている。突出位置にあるとき、その独立した障害部材は現金支出スロットへのアクセスを妨害する。駆動手段を現金支出機の電気回路に接続する電気接続手段が設けられており、駆動手段はこの電気回路からの信号に対応して各分離独立した障害部材を移動させる。
【００１０】
本発明のさらに別な実施例によれば、現金支出機の支出スロットへのアクセスを制御するための自己完結式（ｓｅｌｆ−ｃｏｎｔａｉｎｅｄ）送出アクセス装置が提供される。この実施例においては、送出アクセス装置はケース（ｆａｓｃｉａ）に装着された収納体を有しており、それらの間に隙間部（キャビティ部）を提供している。２つの分離独立した障害部材と、２つの分離独立した駆動器と、電気接続手段は、そのキャビティ部内に収納されている。接続手段は駆動器を現金支出機の電気回路に接続し、各駆動器は障害部材の１つに接続されている。各駆動器はその接続されている障害部材を、電気回路からの信号に対応して、障害部材がキャビティ部内に収納されている収納位置から突出位置へと移動させる。障害部材は突出位置にあるとき、ケース内のスロットを通って延び出し、そのスロットへのアクセスを妨害する。
【００１１】
各障害部材は他方と独立的に移動するので、両障害部材は完全収納位置あるいは完全突出位置のいずれにも位置することが可能である。本発明の好適実施例においては、ケースプレートはその搭載プレートと障害部材の上方に位置しており、搭載プレートに固定されて自己完結式の１ユニット体となり、現金支出機に取り付け可能となる。
【００１２】
具体的に請求項１に記載の本発明は、「現金支出機に取付けることにより現金支出機の支出スロットへのアクセスを制御する自己完結型の送出アクセス装置であって、現金支出機に搭載可能な収納体と、該収納体内にあって、現金支出機の支出スロットと整合するスロット部と、該収納体内に搭載されており、第１軸周囲を独立して回動する略Ｕ形の第１障害部材と、該収納体内に搭載されており、第２軸周囲を独立して回動する略Ｕ形の第２障害部材を備えており、第１障害部材と２障害部材は、前記支出スロットへのアクセスの一部の妨害を提供する第１位置と、妨害を提供しない第２位置との間で可動であり、さらに、該収容体内に収容されて第１障害部材を移動させる第１駆動手段と、該収容体内に収容されて前記第２障害部材を移動させる第２駆動手段と、前記駆動手段を前記現金支出機の電気回路に接続するための電気接続手段を備えていることを特徴とする送出アクセス装置。」である。
【００１３】
請求項２に記載の本発明は、「前記第１障害部材は前記支出スロットの一端部に設置され、前記第２障害部材は他端部に設置されていることを特徴とする請求項１記載の送出アクセス装置」である。
【００１４】
請求項３に記載の本発明は、「電気回路で駆動されている現金支出機の現金支出スロットへのアクセスを制御する送出アクセス装置であって、一端部が第１軸を中心として回動するように装着されて他端部が自由端となっている長い第１障害部材を備えており、第１障害部材の自由端が、前記支出スロットの一端部へのアクセスの妨害を提供する突出位置と、一端部へのアクセスの妨害を提供しない収容位置との間で可動であり、第１障害部材とは別体で独立しており、一端部が前記第１軸とは共軸でない第２軸を中心として回動するように装着されて他端部が自由端となっている長い第２障害部材を備えており、第２障害部材の自由端が、前記支出スロットの他端部へのアクセスの妨害を提供する突出位置と、他端部へのアクセスの妨害を提供しない収容位置との間で可動であり、前記第１障害部材に接続されている第１駆動手段と前記第２障害部材に接続されている第２駆動手段とを備えており、第１駆動手段は、前記第１障害部材を前記収納位置と前記突出位置との間で第２障害部材とは独立的に移動させ、第２駆動手段は、前記第２障害部材を前記収納位置と前記突出位置との間で第１障害部材とは独立的に移動させるものであり、第１障害部材と、第２障害部材と、第１駆動手段と、第２駆動手段を収容する現金支出機に搭載可能な収納体を備えており、駆動手段を現金支出機の電気回路に接続するための電気接続手段を備えており、駆動手段は該電気回路からの電気信号に対応して第１障害部材と第２障害部材とをそれぞれ移動させることを特徴とする送出アクセス装置。」である。
【００１５】
請求項４に記載の本発明は、「前記送出アクセス装置は前記現金支出機に取付可能な搭載プレートを備えており、該搭載プレートは前記現金支出スロットと整合する長いスロット部を有しており、前記第１障害部材と前記第２障害部材は前記搭載プレートに搭載可能であることを特徴とする請求項３記載の送出アクセス装置」である。請求項５に記載の本発明は、「前記送出アクセス装置は前記搭載プレートに搭載されたケースを備えており、該ケースは前記長いスロット部と整合する開口部を有しており、前記第１障害部材と前記第２障害部材は前記ケースと前記搭載プレートとの間に配置され、前記第１障害部材と前記第２障害部材はそれぞれの収納位置において前記開口部に収納され、それぞれの突出位置において該開口部へのアクセスを妨害することを特徴とする請求項４記載の送出アクセス装置」である。
【００１６】
請求項６に記載の本発明は、「前記ケースには発光ダイオードが設けられており、該発光ダイオードは前記電気接続手段に接続されており、前記両障害部材の位置を表示する請求項５記載の送出アクセス装置」である。請求項７に記載の本発明は、「前記駆動手段は第１駆動器と第２駆動器とを含み、該第１駆動器は前記第１障害部材を前記収納位置と前記突出位置との間で移動させるものであり、前記第２駆動器は前記第２障害部材を前記収納位置と前記突出位置との間で移動させるものであることを特徴とする請求項３記載の送出アクセス装置」である。請求項８に記載の本発明は、「前記第１障害部材は第１軸周囲を回動し、前記第２障害部材は第２軸周囲を回動し、該第１軸と該第２軸とは離れていることを特徴とする請求項３記載の送出アクセス装置」である。
【００１７】
請求項９に記載の本発明は、「現金支出機の現金支出スロットへのアクセスを制御する送出アクセス装置であって、該現金支出機は電気回路によって制御されており、現金支出スロットは第１長手方向端部と第２長手方向端部とを有しており、前記送出アクセス装置は、一端部に設けられた第１軸により、前記現金支出スロットの第１長手方向端部において回動可能となるように設けられた長い略Ｕ字型の第１障害部材を備えており、当該第１障害部材が、前記支出スロットへのアクセスの一部の妨害を提供する突出位置と、妨害を提供しない収容位置との間で可動であり、該第１障害部材とは分離しており、他端部に設けられた第２軸により、前記現金支出スロットの第２長手方向端部において回動可能となるように設けられた長い略Ｕ字型の第２障害部材を備えており、当該第２障害部材が、前記支出スロットへのアクセスの一部の妨害を提供する突出位置と、妨害を提供しない収容位置との間で可動であり、前記第１障害部材に接続されて、該第１障害部材を第１軸の周囲を回転させて前記収納位置と前記突出位置との間で移動させる第１駆動器と、前記第２障害部材に接続されて、該第２障害部材を第２軸の周囲を回転させて前記収納位置と前記突出位置との間で移動させる第２駆動器と、前記第１駆動器と前記第２駆動器とを前記現金支出機の電気回路に接続するための電気接続手段とを備えており、前記電気回路からの電気信号に対応して、前記第１駆動器は前記第１障害部材を移動し、前記第２駆動器は前記第２障害部材を移動することを特徴とする送出アクセス装置。」である。
【００１８】
請求項１０に記載の本発明は、「前記送出アクセス装置は前記現金支出機に取付可能な搭載プレートを備えており、該搭載プレートは前記現金支出スロットに整合するスロット部を有していることを特徴とする請求項９記載の送出アクセス装置」である。請求項１１に記載の本発明は、「前記搭載プレートにはケースが装着されており、該ケースは前記現金支出機スロットと寸法が整合する開口部を有しており、前記両障害部材は前記ケースと前記搭載プレートとの間に配置され、該両障害部材はそれぞれの収納位置にあるとき該ケースの前記開口部内に収納され、それぞれの突出位置にあるとき該開口部から突出していることを特徴とする請求項１０記載の送出アクセス装置。」である。請求項１２に記載の本発明は、「前記ケースには前記電気接続手段に接続された発光ダイオードが設けられており、前記それぞれの操作位置を表示することを特徴とする請求項１１記載の送出アクセス装置」である。
【００１９】
請求項１３に記載の本発明は、「現金支出機の現金支出スロットへのアクセスを制御する送出アクセス装置であって、該現金支出機に取付可能な搭載プレートを備えており、該搭載プレートは長いスロット部を有しており、該長いスロット部は第１長手方向端部と第２長手方向端部とを有しており、さらに、前記搭載プレートに設けられているケースを備えており、該ケースは内部に隙間が設けられて収容体を形成しており、前記長いスロット部と整合する開口部を有しており、さらに、前記搭載プレートと前記ケースとの間の隙間に配置された略Ｕ字形の第１障害部材を備えており、該第１障害部材は前記長いスロット部の前記第１長手方向端部に取付られており、前記ケースの前記開口部内に収納されている収納位置と、該開口部から突出して前記長いスロット部へのアクセスを妨害する突出位置との間で可動であり、さらに、前記搭載プレートと前記ケースとの間の隙間に配置された略Ｕ字形の第２障害部材を備えており、該第２障害部材は前記長いスロット部の前記第２長手方向端部に取付られており、前記ケースの前記開口部内に収納されている収納位置と、該開口部から突出して前記長いスロット部へのアクセスを妨害する突出位置との間で可動であり、さらに、前記隙間に配置されて前記第１障害部材に接続され、第１軸を中心にして該第１障害部材を回転させることで、該第１障害部材を前記収納位置と前記突出位置との間で移動させる第１駆動器と、さらに、前記隙間に配置されて前記第２障害部材に接続され、第２軸を中心にして該第２障害部材を回転させることで、該第２障害部材を前記収納位置と前記突出位置との間で移動させる第２駆動器を備えており、前記第１障害部材と前記第２障害部材が収納されている第１操作位置と、前記第１障害部材が収納され、前記第２障害部材が突出している第２操作位置と、前記第１障害部材が突出しており、前記第２障害部材が収納されている第３操作位置と、前記第１障害部材と前記第２障害部材が突出している第４操作位置と、を有しており、さらに、前記第１駆動器と前記第２駆動器を前記現金支出機の電気回路に接続するために収容体から現金支払機に延びる電気接続手段を備えており、前記送出アクセス装置は前記電気回路からの電気信号に対応して前記第１操作位置、前記第２操作位置、前記第３操作位置、前記第４操作位置のいずれかの位置に可動であることを特徴とする送出アクセス装置。」である。
【００２０】
請求項１４に記載の本発明は、「前記ケースには前記電気接続手段に接続された発光ダイオードが設けられ、前記第１操作位置、前記第２操作位置、前記第３操作位置、前記第４操作位置のいずれかを表示することを特徴とする請求項１３記載の送出アクセス装置」である。
【００２１】
【作用】
請求項１に記載の本発明によれば、現金支出機に収納体を搭載し、収納体内のスロット部を現金支出機の支出スロットと整合させ、収納体内の略Ｕ字形の第１障害部材と第２障害部材とを、第１駆動手段と第２駆動手段によって前記支出スロットへのアクセスの一部の妨害を提供する第１位置と、妨害を提供しない第２位置との間で移動させることにより、現金支出機の支出スロットへの人のアクセスを適宜制御する。さらに、請求項２に記載の本発明においては、前記第１障害部材又は第２障害部材が前記支出スロットの一端部において各々人のアクセスを適宜制御する。
【００２２】
請求項３に記載の本発明においては、第１障害部材は一端部が第１軸を中心として回動するように装着されて他端部が自由端となっており、第１障害部材の自由端が、前記支出スロットの一端部へのアクセスの妨害を提供する突出位置と、妨害を提供しない収容位置との間で可動である。また、第１障害部材とは別体で独立している第２障害部材は、一端部が前記第１軸とは共軸でない第２軸を中心として回動するように装着されて他端部が自由端となっており、第２障害部材の自由端が、前記支出スロットの他端部へのアクセスの妨害を提供する突出位置と、妨害を提供しない収容位置との間で可動である。駆動手段が電気接続手段を介して接続された現金支出機の電気回路からの電気信号に対応して第１障害部材と第２障害部材とを収納位置と突出位置との間でそれぞれ独立的に移動させ、現金支出機の現金支出スロットへの人のアクセスを独立的に制御する。
【００２３】
請求項４に記載の本発明においては、送出アクセス装置が搭載プレートを介して現金支出機に取付られ、前記搭載プレートに搭載された第１障害部材と第２障害部材により、現金支出スロットと整合する搭載プレートの長いスロット部を介した現金の受け取り動作を制御する。請求項５に記載の本発明においては、搭載プレートに搭載されたケースの開口部が搭載プレートの長いスロット部と整合し、さらに、ケースと前記搭載プレートとの間に配置された第１障害部材と第２障害部材が、開口部に収納されているそれぞれの収納位置においては、現金支出スロットからの現金の受け取りを妨害なく可能とし、突出位置においては開口部へのアクセスを妨害する。
【００２４】
請求項６に記載の本発明においては、電気接続手段に接続された発光ダイオードがケースに設けられ、該発光ダイオードによって、両障害部材の位置を視覚的に明瞭に表示する。請求項７に記載の本発明においては、第１障害部材が第１駆動器によって収納位置と突出位置との間で移動され、その第１障害部材の移動とは別個独立して第２障害部材が第２駆動器によって収納位置と突出位置との間で移動される。請求項８に記載の本発明においては、第１障害部材と第２障害部材とが互いに離れた第１軸と第２軸とを中心として別個独立に回動する。請求項９に記載の本発明においては、現金支出スロットの一端部に設けられた第１軸により、前記現金支出スロットの第１長手方向端部において回動可能となるように設けられた長い略Ｕ字型の第１障害部材が、収納位置と突出位置との間で駆動され、その第１障害部材の移動とは別個に現金支出スロットの他端部に設けられた第２軸により、前記現金支出スロットの第２長手方向端部において回動可能となるように設けられた長い略Ｕ字型の第２障害部材が、収納位置と突出位置との間で駆動され、各々現金支出スロットの両端部において人による現金の受け取りを個別に制御する。ここで、前記第１障害部材と第２障害部材とは、電気接続手段を介した現金支出機の電気回路からの電気信号に対応し、第１駆動器と第２駆動器とによって別個独立して駆動される。
【００２５】
請求項１０に記載の本発明においては、送出アクセス装置が搭載プレートを介して現金支出機に取付られ、その搭載プレートのスロット部が現金支出スロットに整合し、現金支出スロットからの現金の受け取りを可能とする。請求項１１に記載の本発明においては、搭載プレートに装着されたケースの開口部が搭載プレートの長いスロット部と整合し、その長いスロット部を介した現金の受け取り動作を可能とする。さらに、ケースと前記搭載プレートとの間に配置された第１障害部材と第２障害部材が、開口部に収納されているそれぞれの収納位置においては、現金支出スロットからの現金の受け取りを妨害なく可能とし、突出位置においては開口部へのアクセスを妨害する。請求項１２に記載の本発明においては、電気接続手段に接続された発光ダイオードがケースに設けられ、該発光ダイオードによって、両障害部材の操作位置を視覚的に明瞭に表示する。
【００２６】
請求項１３に記載の本発明においては、ケースが内部に隙間が設けられて収容体を形成しており、前記搭載プレートと前記ケースとの間に隙間が形成されて、略Ｕ字形の第１障害部材と第２障害部材は該隙間に配置される。搭載プレートが現金支出機に取付られその長いスロット部の第１長手方向端部と第２長手方向端部とに各々設けられた第１及び第２障害部材が収納位置と突出位置との間で駆動される。ここで、前記各障害部材は、各々第１及び第２駆動器にて別個独立的に駆動され、第１から第４操作位置に配置される。又、前記第１及び第２駆動器は、電気接続手段によって現金支出機の電気回路に接続され、その電気回路からの電気信号に対応して前記第１から第４操作位置のいずれかの位置に駆動される。
【００２７】
請求項１４に記載の本発明においては、電気接続手段に接続された発光ダイオードがケースに設けられ、第１から第４操作位置のいずれかを視覚的に明瞭に表示する。
【００２８】
【実施例】
以下、本発明の解説のみを目的とし、限定を意図しない添付図面に沿って本発明を解説する。図１と図２は本発明による送出アクセス装置（現金支出機用アクセス制御装置）であり、従来式現金支出機に使用されるものである。送出アクセス装置１０は、一般的にケース１００と、搭載プレート２００と、第１障害部材及び第２障害部材としての２つの障害部材３００Ａ及び３００Ｂと、駆動手段としての障害部材駆動器４００と、を備えている。ケース１００は一般的に方形であり、本実施例においては正面パネル１０２を備えている。正面パネル１０２は平坦外側部１０６と内側部１０８とを有しており、内側部１０８は多面形状であり、各々の面は一般的に中央に位置する細くて長いスロット１０４方向に向かって内側に傾斜している。平坦縁部１１２は正面パネル１０２の外周に沿って形成されており、一般的に正面パネル１０２に対して垂直方向に設けられている。平坦縁部１１２の上部中央には狭帯部１１４が含まれている。平坦縁部１１２の上部側の左右両端部付近には発光ダイオード（ＬＥＤ：図示せず）配置用の穴部１１６が設けられている。
【００２９】
図４にはケース１００の内側が図示されている。長いスロット１０４の周辺部には一般的に正面パネル１０２に対して垂直なフランジ部１２０が設けられており、通路部１２２を提供している。フランジ部１２０の上部には１対の第１小ノッチ部１２４が設けられており、フランジ部１２０の下部には１対の第２大ノッチ部１２６が設けられている。正面パネル１０２の内側表面からは４本の筒状体１２８が突出している。各筒状体１２８は、軸的に整合された（同軸上の）ボア部１３０をそれぞれ有しており、段差付先端部１３２を備えている。好適には、筒状体１２８はそれぞれケース１００の４隅付近に配置される。
【００３０】
図２及び図３には、搭載プレート２００が図示されている。搭載プレート２００は平坦な略長方形であり、好適には、金属製シート材（板材）で成形されている。搭載プレート２００は中央部に長方形開口部２０４を有している。円形穴２０６はケース１００の筒状体１２８と整合する位置に存在し、搭載プレート２００とケース１００とを接合させる。円形穴２０６には、筒状体１２８の段差端部１３２が嵌合する。ケース１００と搭載プレート２００との間には隙間部２４０が設けられる。搭載プレート２００の片側の長手方向端部付近には小円形穴２０８が設けられている。
【００３１】
１対の搭載ブラケット２１０と２１２は一般的に搭載プレート２００の一側面に対して垂直に設けられている。本実施例において好適には、搭載ブラケット２１０と２１２は搭載プレート２００の一部として一体的に成形され、長いスロット２０４の下方に一般的には方形の開口部２１８を提供する。搭載ブラケット２１０は搭載穴部２１４を備えており、搭載ブラケット２１２は搭載穴部２１６を備えている。各穴部２１４と２１６は放射状に延び出るスリット部２１４ａと２１６ａをそれぞれ備えている。
【００３２】
図２と図４には、障害部材３００Ａと３００Ｂとが明瞭に図示されている。本実施例においては、障害部材３００Ａと３００Ｂとは一般的に相互に線対称形状である。従って、一方のみを詳細に説明するが、その説明は他方にも適用されるものである。各障害部材３００Ａ（３００Ｂ）は長い上部３０２と長い下部３０６とを有している。障害提供部３０４は長い上部３０２の外側端部を下部３０６の外側端部に接続しており、各障害部材に略Ｕ状の形状を提供している。脚部３０８は長い下部３０６から下方に垂直に延びており、基礎部３１０に接続している。基礎部３１０は一般的に平坦形状であり、それぞれ離れて設けられている３個のノッチ部３１０ａを有しており、後述する駆動器４００と係合接続されている。ピン体３１２は長い上部３０２の内側自由端から上方に延びている。
【００３３】
本実施例においては、障害部材３００Ａ（３００Ｂ）は一般的にケース１００のフランジ体１２０によって定義される通路部１２２に設置される。さらに特定すれば、障害部材３００Ａ（３００Ｂ）のピン体３１２はフランジ体１２０のノッチ部１２４内に配置され、障害部材３００Ａ（３００Ｂ）の脚部３０８はノッチ部１２６内に配置される。従って、ピン体３１２と脚部３０８とは、搭載プレート２００によってそれぞれノッチ部１２４とノッチ部１２６内に収納される。このように、障害部材３００Ａと３００Ｂとは隙間部２４０内に収納されるように設計されており、隙間部２４０はケース１００と搭載プレート２００とによって設けられている。略Ｕ形障害部材３００Ａ（図２の左側）の基礎部３１０は搭載ブラケット２１０の下方で搭載ブラケット２１０とは所定の間隔を開けて設けられており、略Ｕ形障害部材３００Ｂ（図２の右側）の基礎部３１０は搭載ブラケット２１２の上方にて搭載ブラケット２１２とは所定の間隔を開けて設けられている。それぞれの基礎部３１０と搭載ブラケット２１０と２１２との間の距離は、２つの分離した搭載部位を提供している。障害部材駆動器４００は各搭載部位に設置される。
【００３４】
本実施例においては、駆動器４００は一般的に円筒状であるソレノイドを備えている。駆動器４００には１対の設置ピン体４０２と、３本の離れた駆動ピン体４０６を有した回転式ディスク４０４とが設けられている。駆動器４００は搭載ブラケット２１０と２１２の穴部２１４と２１６内にそれぞれ受け止められるように係合して設置され、設置ピン体４０２はスリット部２１４ａと２１６ａ内に挿入される。この位置で駆動ピン体４０６は、障害部材３００Ａ（３００Ｂ）の基礎部３１０のノッチ部３１０ａ内に係合される。本実施例においては、２つの駆動器４００は同じものであり、搭載ブラケット２１０と２１２とは、図３に示すように、片方の駆動器４００を他方の駆動器４００とは上下逆方向に設置する構造を有している。本発明によれば、障害部材３００Ａと３００Ｂは、障害部材３００Ａ又は障害部材３００Ｂが通路部１２２内に収納されている収納位置と、障害部材３００Ａあるいは障害部材３００Ｂが外側パネル部１０６の表面から延び出している突出位置との間で駆動器４００によって独立的に可動である。
【００３５】
回路ボード２５０は搭載プレート２００に搭載される。回路ボード２５０は一般的に平坦な方形であり、回路ボード２５０の中央付近に垂直方向に並んで設けられる２つの小円形穴部２５２を備えている。円形穴部２５２は搭載プレート２００内で、図３に示すように、穴部２０８と整合する。回路ボード２５０は送出アクセス装置１０に接続するための電気回路（図示せず）を備えている。回路ボード２５０は、穴部２５２を通って搭載プレート２００の穴部２０８内へと延びている従来式固定具によって搭載プレート２００に固定される。電気接続手段としての電気リード線２６０は、駆動器４００を回路ボード２５０に接続する。電気リード線２６２は回路ボード２５０を現金支出機の内部回路に接続する。
【００３６】
次に本発明を具体化した送出アクセス装置１０の操作についてを解説する。送出アクセス装置１０は自己完結式ユニットである。従って、送出アクセス装置１０は、そのスロット部１０４を現金支出機の現金支出スロットに整合させることで現存する現金支出機に搭載可能である。送出アクセス装置１０から延びる電気接続手段としての電気リード線は現金支出機の内部制御回路に接続され、障害部材３００の制御用信号を受信する。
【００３７】
次に送出アクセス装置１０を図示している図５から図８に関して説明する。図５から図８にかけては現金支出機５００の正面に設置された送出アクセス装置１０の平面図が図示されている。図５は本発明の第１操作位置を示しており、両障害部材３００は収納位置にあり、両障害部材ともケース１００と搭載プレート２００との間の隙間部に収納されており、外部からは遮閉されている。図６は送出アクセス装置１０の第２操作位置を示しており、第１障害部材３００Ａは収納位置にあり、第２障害部材３００Ｂは突出位置にあり、現金支出機の左側の出納係に対する障害物を提供し、現金スロットへのアクセスを妨害する。即ち、現金支出機の右側に位置する出納係が現金を要求するために取引情報を現金支出機のロジックに入力したときの障害部材の位置である。現金がスロット部１０４を介して支出されたとき、現金支出機の電気回路は駆動器４００のソレノイドを駆動し、第２障害部材３００Ｂを突出位置に移動させる。このように、左側に位置する出納係によるスロット部１０４へのアクセスは突出位置の障害部材３００の障壁提供部３０４によって物理的に妨害される。
【００３８】
図７は本発明の第３操作状態（位置）を図示しており、現金支出機の第２障害部材３００Ｂは収納位置にあり、現金支出機の第１障害部材３００Ａは、突出位置にあって物理的障害を提供し、図面の右側に位置した出納係によるスロット部１０４へのアクセスを物理的に妨害する。図８は本発明の第４操作状態（位置）を図示しており、両障害部材３００はその突出位置にあり、現金支出機の左右の出納係によるスロット部１０４へのアクセスを物理的に妨害する。この障害部材位置は、支出される現金が第３の出納係に対して支出されるときに採用されるものである。
【００３９】
以上、本発明をその好適実施例に基づいて解説した。この送出アクセス装置に対して改良あるいは変更を加えることは、本明細書を読んで理解すれば可能であろう。例えば、障害部材は搭載プレートの長いスロット部内に配置させる必要はなく、スロット部付近であれば充分であり、出納係の手に対して障害を提供すればよい。従って、本発明のそのような改良及び変更は本明細書の請求の範囲及びその等価物に含まれるものである。
【００４０】
【発明の効果】
上記構成により、本発明によれば、現存する現金支出機にも装着可能な送出アクセス装置を提供でき、別個独立的に操作可能な一対の物理的障害手段により、現金支出スロットに対する物理的障害を別個独立して提供することができ、左右２人の現金受取人に対する障害を同時に提供して第３の人に対する支出であることをも示すことができるという優れた効果を奏する。さらに、本発明によれば、現金支出機の内部回路からの信号により現金の受け取りに対する制御を簡単に行うことができる。
【００４１】
具体的には、請求項１に記載の本発明においては、既存の現金支出機であっても、収納体を取付け、そのスロット部を現金支出機の支出スロットと整合させ、収納体内の略Ｕ字形の第１障害部材と第２障害部材とを、第１駆動手段と第２駆動手段によって回動させることにより前記支出スロットへのアクセスの一部の妨害を提供する第１位置と、妨害を提供しない第２位置との間で移動させることにより、現金支出機の支出スロットへの人のアクセスを適宜制御することができる。さらに、請求項２に記載の本発明においては、前記第１障害部材又は第２障害部材が前記支出スロットの一端部において各々左右の人のアクセスを適宜制御することができる。
【００４２】
請求項３に記載の本発明においては、第１障害部材は一端部が第１軸を中心として回動するように装着されて他端部が自由端となっており、第１障害部材の自由端が、前記支出スロットの一端部へのアクセスの妨害を提供する突出位置と、妨害を提供しない収容位置との間で可動である。また、第１障害部材とは別体で独立している第２障害部材は、一端部が前記第１軸とは共軸でない第２軸を中心として回動するように装着されて他端部が自由端となっており、第２障害部材の自由端が、前記支出スロットの他端部へのアクセスの妨害を提供する突出位置と、妨害を提供しない収容位置との間で可動である。駆動手段が電気接続手段を介して接続された現金支出機の電気回路からの電気信号に対応して第１障害部材と第２障害部材とを収納位置と突出位置との間でそれぞれ独立的に移動させることにより、現金支出機の現金支出スロットへの人のアクセスを独立的に制御することができる。
【００４３】
請求項４に記載の本発明においては、送出アクセス装置が搭載プレートを介して現金支出機に取付られ、前記搭載プレートに搭載された第１障害部材と第２障害部材により、現金支出スロットと整合する搭載プレートの長いスロット部を介した現金の受け取り動作を制御することができる。請求項５に記載の本発明においては、搭載プレートに搭載されたケースの開口部が搭載プレートの長いスロット部と整合し、ケースと搭載プレートとの間に配置された第１障害部材と第２障害部材が、開口部に収納されているそれぞれの収納位置においては、現金支出スロットからの現金の受け取りを妨害なく可能とし、突出位置においては開口部へのアクセスを妨害することができる。
【００４４】
請求項６に記載の本発明においては、電気接続手段に接続された発光ダイオードがケースに設けられ、該発光ダイオードによって、両障害部材の位置を視覚的に明瞭に表示することができる。請求項７に記載の本発明においては、第１障害部材が第１駆動器によって収納位置と突出位置との間で移動され、その第１障害部材の移動とは別個独立して第２障害部材が第２駆動器によって収納位置と突出位置との間で移動されるため、現金支出機の現金支出スロットへの人のアクセスを独立的に制御できる。請求項８に記載の本発明においては、第１障害部材と第２障害部材とが互いに離れた第１軸と第２軸とを中心として別個独立に回動するため、比較的サイズの小さな障害部材を使用して現金スロットの左右両端部における現金の受け取りを制御することができる。
【００４５】
請求項９に記載の本発明においては、一端部に設けられた第１軸により、前記現金支出スロットの第１長手方向端部において回動可能となるように設けられた長い略Ｕ字型の第１障害部材を備えており、当該第１障害部材が、前記支出スロットへのアクセスの一部の妨害を提供する突出位置と、妨害を提供しない収容位置との間で可動である。また、該第１障害部材とは分離しており、他端部に設けられた第２軸により、前記現金支出スロットの第２長手方向端部において回動可能となるように設けられた長い略Ｕ字型の第２障害部材を備えており、当該第２障害部材が、前記支出スロットへのアクセスの一部の妨害を提供する突出位置と、妨害を提供しない収容位置との間で可動である。前記第１障害部材に接続されて、該第１障害部材を第１軸の周囲を回転させて前記収納位置と前記突出位置との間で移動させる第１駆動器と、前記第２障害部材に接続されて、該第２障害部材を第２軸の周囲を回転させて前記収納位置と前記突出位置との間で移動させる第２駆動器によって各々現金支出スロットの両端部において人による現金の受け取りを個別に独立して制御できる。
【００４６】
請求項１０に記載の本発明においては、送出アクセス装置が搭載プレートを介して現金支出機に取付られ、その搭載プレートのスロット部が現金支出スロットに整合し、現金支出スロットからの現金の受け取りを可能とする。請求項１１に記載の本発明においては、搭載プレートに装着されたケースの開口部が搭載プレートの長いスロット部と整合し、その長いスロット部を介した現金の受け取り動作を可能とできる。さらに、ケースと前記搭載プレートとの間に配置された第１障害部材と第２障害部材が、開口部に収納されているそれぞれの収納位置においては、現金支出スロットからの現金の受け取りを妨害なく可能とし、突出位置においては開口部へのアクセスを妨害できる。請求項１２に記載の本発明においては、電気接続手段に接続された発光ダイオードがケースに設けられ、該発光ダイオードによって、両障害部材の操作位置を視覚的に明瞭に表示することができる。
【００４７】
請求項１３に記載の本発明においては、ケースが内部に隙間が設けられて収容体を形成しており、前記搭載プレートと前記ケースとの間に隙間が形成されて、略Ｕ字形の第１障害部材と第２障害部材は該隙間に配置される。搭載プレートが現金支出機に取付られその長いスロット部の第１長手方向端部と第２長手方向端部とに各々設けられた第１及び第２障害部材を収納位置と突出位置との間で駆動できる。ここで、前記各障害部材は、各々第１及び第２駆動器にて別個独立的に駆動され、第１から第４操作位置に配置できる。又、前記第１及び第２駆動器は、電気接続手段によって現金支出機の電気回路に接続され、その電気回路からの電気信号に対応して前記第１から第４操作位置のいずれかの位置に駆動できる。
【００４８】
請求項１４に記載の本発明においては、電気接続手段に接続された発光ダイオードがケースに設けられ、第１から第４操作位置のいずれかを視覚的に明瞭に表示することができる。
【図面の簡単な説明】
【図１】 本発明の送出アクセス装置を正面側から見た分解斜視図。
【図２】 本発明の送出アクセス装置を正面側から見た分解斜視図。
【図３】 本発明の図１と図２に示した送出アクセス装置を背面側から見た分解斜視図。
【図４】 本発明の図１と図２に示した送出アクセス装置を背面側から見た分解斜視図。
【図５】 現金支出機に搭載された本発明の送出アクセス装置の１つの操作位置を示す平面図。
【図６】 本発明の現金支出機に搭載された本発明の送出アクセス装置の１つの操作位置を示す平面図。
【図７】 本発明の現金支出機に搭載された本発明の送出アクセス装置の１つの操作位置を示す平面図。
【図８】 本発明の現金支出機に搭載された本発明の送出アクセス装置の１つの操作位置を示す平面図。
【符号の説明】
１０ アクセス装置
１００ ケース
１０２ 正面パネル
１０４ スロット
２００ 搭載プレート
２１０ 搭載ブラケット
２１２ 搭載ブラケット
３００Ａ，Ｂ 障害部材
３０４ 障害提供部
４００ 駆動器
【図１】
0003671449.tif 000002
【図２】
0003671449.tif 000003
【図３】
0003671449.tif 000004
【図４】
0003671449.tif 000005
【図５】
0003671449.tif 000006
【図６】
0003671449.tif 000007
【図７】
0003671449.tif 000008
【図８】
0003671449.tif 000009